【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
少なくとも１つの電磁放射を伝送させるための装置であって、
操作中の場合に、試料に少なくとも１つの電磁放射を伝送する、第１軸に沿って延びる少なくとも１つの端部を有する１つ以上の光ファイバと、
前記１つ以上の光ファイバと光学的に連携するように設けられた光伝送光学装置部とを備え、
該光伝送光学装置部は、第２軸に対して垂直な平面部を有する第１面と、曲面部を含む第２面とを備え、前記第１軸が、前記第２軸に対して０°より大きく、かつ９０°より小さい特定の角度で設けられ、
前記曲面部は、前記第１軸と第２軸に沿って配置する第１平面の第１曲率の第１半径と、前記第１平面に対して垂直である第２平面の第２曲率の第２半径とを有し、
前記第１半径は、前記第２半径と異なり、前記第１曲率は、前記第２曲率と異なる、装置。
【請求項２】
前記平面部は、前記少なくとも１つの電磁放射の一部を少なくとも部分的に反射するように構成され、前記曲面部は、前記少なくとも１つの電磁放射の一部を、当該部分を通して透過させるように構成される、請求項１に記載の装置。
【請求項３】
前記曲面部は、前記第１軸に対して垂直な第１平面内で第１曲率を有し、第３軸に対して垂直な第２平面内で第２曲率を有しており、前記第１平面が前記第２平面と異なり、かつ前記第１曲率が前記第２曲率と異なる、請求項１に記載の装置。
【請求項４】
前記第１軸と前記第３軸との間になす角度が約９０°である、請求項３に記載の装置。
【請求項５】
前記特定の角度は、前記光伝送光学装置部とその外部の媒質との間で全反射させるための角度である、請求項１に記載の装置。
【請求項６】
前記第１面の前記平面部が反射面である、請求項１に記載の装置。
【請求項７】
前記第１面の前記平面部が金属層を有する、請求項１に記載の装置。
【請求項８】
少なくとも１つの電磁放射を伝送させるための装置であって、
第１軸に沿って延びる少なくとも１つの端部を有する少なくとも１つ以上の光ファイバと、
前記１つ以上の光ファイバと光学的に連携して提供される光伝送光学装置部とを備え、
前記光伝送光学装置部は、第２軸に対してほぼ垂直である部分を有する第１面と、曲面部を含む第２面とを含み、前記第１軸は、前記第２軸に対して０°より大きく、かつ９０°よりも小さい特定の角度で設け、
前記曲面部は、前記第１軸および第２軸に沿って位置している第１平面の第１曲率の第１半径と、前記第１平面に対して垂直である第２の平面の第２の曲率の第２の半径とを有し、
前記第１半径は前記第２の半径と異なり、かつ、前記第１曲率は前記第２の曲率と異なり、
前記１つ以上の光ファイバおよび前記光伝送光学装置部は、同一材料からの一体物として形成される、装置
【請求項９】
少なくとも１つの電磁放射を伝送するための装置であって、
第１軸に沿って延びる少なくとも１つの端部を有する少なくとも１つ以上の光ファイバと、
前記１つ以上の光ファイバと光学的に連携して提供される光伝送光学装置部とを備え、
前記光伝送光学装置部は、第二軸に対してほぼ垂直である部分を有する第１面と、曲面部を含む第２面とを含み、前記第１軸は、前記第２軸に対して０°よりも大きく、かつ９０°よりも小さい特定の角度で設け、
前記曲面部は、前記第１軸および第２軸に沿って位置する第１平面の第１曲率の第１半径と、前記第１平面に対して垂直である第２平面の第２曲率の第２半径とを有し、
前記第１半径は、前記第２半径と異なり、かつ、前記第１曲率は、前記第２曲率と異なり、
前記１つ以上の光ファイバは、少なくとも１つの第１領域及び少なくとも１つの第２領域を有し、前記第１領域は前記少なくとも１つの電磁放射をガイドする構成とされ、前記第２領域は前記少なくとも１つの電磁放射の導波性をもたず、前記第１領域及び第２領域が前記第１軸に沿って配置される、装置。
【請求項１０】
ほぼ透明な部分を有するシースを更に備え、前記光伝送光学装置部がほぼ透明な部分の内側に配置される、請求項１に記載の装置。
【請求項１１】
少なくとも１つの電磁放射を伝送するための装置であって、
第１軸に沿って延びる少なくとも１つの端部を有する１つ以上の光ファイバと、
前記１つ以上の光ファイバと光学的に連携するように設けられた光伝送光学装置部とを備え、
前記光伝送光学装置部は、第２軸に対してほぼ垂直な平面部を有する第１面と、曲面部を含む第２面とを備え、前記第１軸は、前記第２軸に対して０°より大きく９０°より小さい特定の角度で設けられ、
前記光伝送光学装置部は、ほぼ透明な部分を有するシースの前記ほぼ透明な部分内に配置され、
前記曲面部は、前記第１軸および第２軸に沿って位置する第１平面の第１曲率の第１半径と、前記第１平面に対して垂直である第２平面の第２曲率の第２半径とを有し、前記第１半径は、前記第２半径と異なり、前記第１曲率は、前記第２曲率と異なり、第１曲率及び第２曲率が前記ほぼ透明な部分によって引き起こされる非点収差を減少させる特性を有する、装置。
【請求項１２】
前記第１曲率及び第２曲率が非点収差を減少させる特性を有する、請求項３に記載の装置。
【請求項１３】
前記１つ以上の光ファイバは、第１及び第２の光ファイバを含み、前記第１及び第２の光ファイバのうちの１つが毎秒約３０回転よりも大きく、かつほぼ均一な回転速度で回転する、請求項１に記載の装置。
【請求項１４】
前記第１及び第２の光ファイバのうちの少なくとも１つを長手方向に沿って平行移動させるように構成された並進ステージを更に備える、請求項１３に記載の装置。
【請求項１５】
前記第１及び第２の光ファイバのうちの少なくとも１つが公称カットオフ波長をもつシングルモードファイバである、請求項１３に記載の装置。
【請求項１６】
前記第１及び第２の光ファイバのうちの少なくとも１つの前記公称カットオフ波長が約９００ｎｍと１３００ｎｍとの間である、請求項１５に記載の装置。
【請求項１７】
少なくとも１つの電磁放射を伝送させるための方法であって、
操作中の場合に、試料に少なくとも１つの電磁放射を伝送する、第１軸に沿って延びる少なくとも１つの端部を有する１つ以上の光ファイバを提供し、
前記１つ以上の光ファイバと光学的に連携する光伝送光学装置部を提供することを含み、該光伝送光学装置部は、第２軸に対して垂直な平面部を有する第１面と、曲面部を含む第２面とを備え、前記第１軸が、前記第２軸に対して０°より大きく、かつ９０°よりも小さい特定の角度で設けられ、
前記曲面部は、前記第１軸および第２軸に沿って位置する第１平面の第１曲率の第１半径と、前記第１平面に対して垂直である第２平面の第２曲率の第２半径とを有し、前記第１半径は、前記第２半径と異なり、前記第１曲率は、前記第２曲率と異なるようにした方法。
【請求項１８】
少なくとも１つの電磁放射を伝送する装置であって、
第１軸に沿って延びる少なくとも１つの端部を有する１つ以上の光ファイバと、
光学的に連携するように前記１つ以上の光ファイバ内に設けられる光伝送光学装置部と、を備え、
前記光伝送光学装置部は、前記１つ以上の光ファイバから最初に電磁放射を受信するために適所にあり、第２軸に対してほぼ垂直な平面を有する第１面と、曲面部を含む第２面とを備え、前記第１軸は、前記第２軸に対して０°より大きく９０°より小さい特定の角度で設けられ、
前記曲面部は、前記第１軸および第２軸に沿って配置する第１平面の第１曲率の第１半径と、前記第１平面に対して垂直である第２平面の第２曲率の第２半径とを有し、前記第１半径は、前記第２半径と異なり、前記第１曲率は、前記第２曲率と異なる、装置。